(57)【要約】【課題】吐水管の先端部が薄い水栓金具への取り付け対応が容易であるのと共に水栓金具の周囲を水浸しにしてしまう恐れが少ない可搬型の給水装置を提供する。【解決手段】水栓金具Ｋの吐水管Ｋ１と流通路Ｄとが繋がるように吐水管Ｋ１の先端部を挟み込んで水栓金具Ｋに取り付けられる取付部１１と、取付部１１の水栓金具Ｋ側の端部の周囲を囲い、吐水管Ｋ１を通すことが可能な開口である挿入開口１２ｄが形成されたカバー部１２と、挿入開口１２ｄを覆うようにカバー部１２に固定され、吐水管Ｋ１が挿入される挿入部１３とを備える給水装置１０とする。【選択図】図２
2017169833.tif 000002
【特許請求の範囲】
【請求項１】
水栓金具に取り付けられる給水装置であって、
流体を流通可能とする流通路が形成されており、前記水栓金具の吐水管と当該流通路とが繋がるように当該吐水管の先端部を挟み込んで当該水栓金具に取り付けられる取付部と、
前記取付部の前記水栓金具側の端部の周囲を囲い、前記吐水管を通すことが可能な開口である挿入開口が形成されたカバー部と、
前記挿入開口を覆うように前記カバー部に固定され、前記吐水管が挿入される挿入部と、を備える給水装置。
【請求項２】
請求項１に記載の給水装置であって、
前記挿入部は、切れ込みが形成されたシート体で構成されている給水装置。
【請求項３】
請求項１または２に記載の給水装置であって、
前記カバー部は、底側に排水口が形成されている給水装置。
【請求項４】
請求項１ないし３のいずれか一項に記載の給水装置であって、
前記カバー部に取り付けられて前記給水装置を自立させる伸縮自在の脚部を備える給水装置。
【請求項５】
請求項１ないし４のいずれか一項に記載の給水装置であって、
前記取付部は、前記流通路が形成されている流通体と、当該流通体との間隔を変更可能に当該流通体に取り付けられている押さえ体と、上方からの操作によって当該流通体と当該押さえ体との間隔を変更させる操作体と、を有し、
前記カバー部は、手を出し入れ可能な開口である操作開口が上方に形成された本体と、当該操作開口が露出するように当該本体に対して移動可能な蓋体と、を有する、前記操作体を操作することで前記流通路の入口の周囲を前記水栓金具の前記吐水管の先端部の周囲に当接させると共に、前記押さえ体を当該水栓金具の当該吐水管の先端部と対向する側から押し付けて当該水栓金具に取り付けられる給水装置。
【請求項６】
可搬型の洗髪システムであって、
請求項１ないし５のいずれか一項に記載の給水装置を備える洗髪システム。
【請求項７】
請求項６に記載の洗髪システムであって、
前記給水装置の前記流通路に接続ホースを介して接続されるシャワーヘッドを備える洗髪システム。
【請求項８】
請求項６または７に記載の洗髪システムであって、
前記洗髪システムを用いて洗髪される利用者の座る椅子に取り付けられて当該利用者の首を支持する枕具を備える洗髪システム。
【請求項９】
請求項６または７に記載の洗髪システムであって、
伸縮自在の高さ調整部を含み自立可能に構成され、前記洗髪システムを用いて洗髪される利用者の首を支持する枕具を備える洗髪システム。
【請求項１０】
請求項７に記載の洗髪システムであって、
上方が開口し、底側に溜まった水を吸い込む吸込口を有する移動洗髪台と、
前記給水装置と前記シャワーヘッドとの間、および当該給水装置と前記移動洗髪台との間に配置されると共に吸引ポンプを含む中継装置と、を備え、
前記中継装置は、前記給水装置と前記シャワーヘッドとを接続する給水ラインの一部と、前記吸込口と前記吸引ポンプとを接続する吸引ラインの一部と、当該給水装置および当該吸引ポンプに接続されて選択的に排水するための排水ラインの一部と、を含み構成されている洗髪システム。
【発明の詳細な説明】
【技術分野】
【０００１】
本発明は、給水装置に関するものである。さらに詳しくは、水栓金具に着脱自在に構成されている可搬型の給水装置に関する。また、このような給水装置を備える可搬型の洗髪システムに関する。
【背景技術】
【０００２】
水栓金具から給水するための給水装置として、たとえば洗濯機への給水のために水栓金具に取り付けられる継手が知られている。この手の継手は、水栓金具の吐水管の先端部に継手の端部を嵌合させるのと共に、吐水管の先端部の周囲に側方からビス止めすることで水栓金具に取り付けられる。
【０００３】
また、近年のシステムキッチン等におけるデザイン性が重視された混合水栓は、吐水管の先端部付近が大きく屈曲し、屈曲してから先端までの長さが短いタイプ、換言すると吐水管の先端部が薄いタイプがほとんどである。このような混合水栓に対しては、吐水管に周囲からビス止めして給水装置を取り付けることが困難である。そこで、このようなビス止めが困難な水栓金具への取り付けを考慮したホース接続具が特許文献１に開示されている。このホース接続具は、吐水管の先端部を挟持して水栓金具に取り付けられる。
【先行技術文献】
【特許文献】
【０００４】
【特許文献１】特開２００１−２０８２５２号公報
【発明の概要】
【発明が解決しようとする課題】
【０００５】
たとえば訪問型の洗髪サービスといった水を利用するサービスを提供するにあたり、訪問先の水栓金具に取り付けて、そこから給水できるようにする可搬型の給水装置があると便利である。しかしながら、水栓金具への取り付けがビス止めする方式の給水装置は、近年ほとんどを占める吐水管の先端部が薄い水栓金具への取り付け対応が困難であるため可搬型には適していない。また、水栓金具への取り付けがビス止めする方式の給水装置は、ビス先端から加わる力で吐水管の先端部を変形させてしまう恐れがあるという点においても可搬型に適していない。また、特許文献１で開示されている給水装置を含めて給水装置は、必ず接触部分から水漏れしない状態で取り付けできるとは限らない。とくに可搬型の給水装置は、水漏れしない状態で取り付けられない場合があることを想定すべきである。たとえば、訪問型の洗髪サービスでは、訪問先の水栓金具の形状もさまざまであり、取り付け作業に多くの時間を費やすことができない中で水漏れしない状態にするのは困難である。だからといって接触部分から水漏れした状態で洗髪サービスを行うと、水栓金具の周囲を水浸しにしてしまう恐れがある。
【０００６】
本発明は、かかる改善すべき課題に鑑みてなされたものであり、吐水管の先端部が薄い水栓金具への取り付け対応が容易であるのと共に水栓金具の周囲を水浸しにしてしまう恐れが少ない可搬型の給水装置を提供することを課題としている。また、このような給水装置を備え、訪問型の洗髪サービスで用いるのに適した可搬型の洗髪システムを提供することを課題としている。
【課題を解決するための手段】
【０００７】
上記課題を解決すべく、第１観点の給水装置は、水栓金具に取り付けられる給水装置であって、流体を流通可能とする流通路が形成されており、水栓金具の吐水管と流通路とが繋がるように吐水管の先端部を挟み込んで水栓金具に取り付けられる取付部を備える。また、この給水装置は、取付部の水栓金具側の端部の周囲を囲い、吐水管を通すことが可能な開口である挿入開口が形成されたカバー部を備える。また、この給水装置は、挿入開口を覆うようにカバー部に固定され、吐水管が挿入される挿入部を備える。
【０００８】
また、第２観点の給水装置は、第１観点の給水装置であって、挿入部が切れ込みの形成されたシート体で構成されている。
【０００９】
また、第３観点の給水装置は、第１観点または第２観点の給水装置であって、カバー部には底側に排水口が形成されている。
【００１０】
また、第４観点の給水装置は、第１観点〜第３観点のいずれかの給水装置であって、カバー部に取り付けられて、給水装置を自立させる伸縮自在の脚部を備える。
【００１１】
また、第５観点の給水装置は、第１観点〜第４観点のいずれかの給水装置であって、取付部が、流通路が形成されている流通体と、流通体との間隔を変更可能に流通体に取り付けられている押さえ体と、上方からの操作によって流通体と押さえ体との間隔を変更させる操作体とを有する。また、この給水装置は、カバー部が、手を出し入れ可能な開口である操作開口が上方に形成された本体と、操作開口が露出するように本体に対して移動可能な蓋体とを有する。そして、この給水装置は、操作体を操作することで流通路の入口の周囲を水栓金具の吐水管の先端部の周囲に当接させると共に、押さえ体を吐水管の先端部と対向する側から押し付けて水栓金具に取り付けられる。
【００１２】
また、第６観点の洗髪システムは、可搬型の洗髪システムであって、第１観点〜第５観点のいずれかの給水装置を備える。
【００１３】
また、第７観点の洗髪システムは、第６観点の洗髪システムであって、給水装置の流通路に接続ホースを介して接続されるシャワーヘッドを備える。
【００１４】
また、第８観点の洗髪システムは、第６観点または第７観点の洗髪システムであって、この洗髪システムを用いて洗髪される利用者の座る椅子に取り付けられて利用者の首を支持する枕具を備える。
【００１５】
また、第９観点の洗髪システムは、第６観点または第７観点の洗髪システムであって、伸縮自在の高さ調整部を含み自立可能に構成され、この洗髪システムを用いて洗髪される利用者の首を支持する枕具を備える。
【００１６】
また、第１０観点の洗髪システムは、第７観点の洗髪システムであって、上方が開口し、底側に溜まった水を吸い込む吸込口を有する移動洗髪台を備える。また、この洗髪システムは、給水装置とシャワーヘッドとの間、および給水装置と移動洗髪台との間に配置されると共に吸引ポンプを含む中継装置を備える。そして、この中継装置は、給水装置とシャワーヘッドとを接続する給水ラインの一部と、吸込口と吸引ポンプとを接続する吸引ラインの一部と、給水装置および吸引ポンプに接続されて選択的に排水するための排水ラインの一部とを含み構成されている。
【発明の効果】
【００１７】
第１観点の給水装置によれば、この給水装置は、流体を流通可能とする流通路が形成されており、水栓金具の吐水管と流通路とが繋がるように吐水管の先端部を挟み込んで水栓金具に取り付けられる取付部を備えている。これにより、この給水装置は、近年のほとんどを占める吐水管の先端部が薄いタイプの水栓金具に容易に取り付けることができる。また、この給水装置は、取付部の水栓金具側の端部の周囲を囲い、吐水管を通すことが可能な開口である挿入開口が形成されたカバー部と挿入開口を覆うようにカバー部に固定され、吐水管が挿入される挿入部を備えている。これにより、この給水装置は、挿入部から吐水管を挿入して、吐水管の先端部に接触させる取付部の端部の周りをカバー部が覆うように水栓金具に取り付けられる。このため、この給水装置は、吐水管と取付部との接触部分から水漏れがあってもカバー部によって周囲への水の飛び散りが防止される。したがって、第１観点によれば、吐水管の先端部が薄い水栓金具への取り付け対応が容易であるのと共に水栓金具の周囲を水浸しにしてしまう恐れが少ない可搬型の給水装置を提供することができる。
【００１８】
また、第２観点の給水装置によれば、この給水装置は、挿入部が切れ込みの形成されたシート体で構成されている。これにより、この給水装置は、切れ込みに挟まれた部分が撓み吐水管を挿入できると共に、水栓金具と取付部との接触部分から水漏れがあっても、切れ込みに挟まれた部分で挿入開口の隙間からの周囲への水の飛び散りを防止することができる。
【００１９】
また、第３観点の給水装置によれば、この給水装置は、カバー部の底側に排水口が形成されている。これにより、この給水装置は、水栓金具と取付部との接触部分から漏れがあっても排水口から排水してカバー部内に水が溜まってしまうのを防止することができる。
【００２０】
また、第４観点の給水装置によれば、この給水装置は、カバー部に取り付けられて、給水装置を自立させる伸縮自在の脚部を備えている。これにより、この給水装置は、水栓金具に取付部が取り付けられると共に、脚部の長さが調節されて脚部の先端をシンク等に接触させて設置される。したがって、給水装置の重さが水栓金具に対して過剰に加わることを防止することができる。
【００２１】
また、第５観点の給水装置によれば、この給水装置は、取付部が、流通路が形成されている流通体と、流通体との間隔を変更可能に流通体に取り付けられている押さえ体と、上方からの操作によって流通体と押さえ体との間隔を変更させる操作体とを有している。そして、この給水装置は、操作体を操作することで流通路の入口の周囲を水栓金具の吐水管の先端部の周囲に当接させると共に、押さえ体を吐水管の先端部と対向する側から押し付けて水栓金具に取り付けられる。このように、この給水装置は、上方からの操作によって水栓金具に着脱可能に構成されている。また、この給水装置は、カバー部が手を出し入れ可能な開口である操作開口が上方に形成された本体と、操作開口が露出するように本体に対して移動可能な蓋体とを有している。このため、この給水装置は、蓋体を移動させることで上方の操作開口から手を入れて操作体の操作がしやすいように構成されている。したがって、この給水装置は、水栓金具に対して容易に着脱することができる。
【００２２】
また、第６観点の洗髪システムによれば、この洗髪システムは、第１観点〜第５観点のいずれかの給水装置を備えている。つまり、吐水管の先端部が薄い水栓金具への取り付け対応が容易であるのと共に水栓金具の周囲を水浸しにしてしまう恐れが少ない可搬型の給水装置を備えている。これにより、第６観点によれば、近年主流となっている吐水管の先端部が薄い水栓金具への取り付け対応と同時に水栓金具の周囲に水を飛び散らせないことが求められる訪問型の洗髪サービスで用いるのに適した可搬型の洗髪システムを提供できる。
【００２３】
また、第７観点の洗髪システムによれば、この洗髪システムは、給水装置の流通路に接続ホースを介して接続されるシャワーヘッドを備えている。これにより、この洗髪システムを用いれば、広くやわらかな水流でまんべんなく洗髪を行うことができる。
【００２４】
また、第８観点の洗髪システムによれば、この洗髪システムは、利用者の座る椅子に取り付けられて利用者の首を支持する枕具を備えている。これにより、この洗髪システムを用いれば、シンクや洗髪台に首を受ける部分を設置できない場合でも、利用者の頭部をしっかり固定した状態で洗髪を行うことができる。
【００２５】
また、第９観点の洗髪システムによれば、この洗髪システムは、伸縮自在の高さ調整部を含み自立可能な枕具を備えている。これにより、この洗髪システムを用いれば、シンクや洗髪台に首を受ける部分を設置できない場合でも、利用者の頭部をしっかり固定した状態で洗髪を行うことができる。
【００２６】
また、第１０観点の洗髪システムによれば、この洗髪システムは、給水装置とシャワーヘッドとを接続する給水ラインの一部を含む中継装置と、上方が開口する移動洗髪台とを備えている。そして、中継装置は、給水装置から流れてきた水を排水するための排水ラインの一部を有している。これにより、この洗髪システムは、シャワーヘッド近くで水を止めた場合に給水ラインの水が排水ラインを経由して排水されるため、水圧が異常に高くならない。したがって、この洗髪システムを用いれば、シャワーヘッド近くで水を止めた場合に接続箇所が外れる恐れが少なく、いちいち水栓金具の水を止めなくてよいため、手際よく洗髪を行うことができる。また、この洗髪システムは、移動洗髪台が底側に溜まった水を吸い込む吸込口を有しており、中継装置が吸引ラインを介して吸込口に接続される吸引ポンプを有している。さらに、中継装置が吸引ポンプに接続される排水ラインの一部を含み構成されている。これにより、この洗髪システムでは、移動洗髪台に溜まった排水は、吸込口から吸引ポンプで吸引され、排水ラインを介して離れたシンク等に導かれる。したがって、この洗髪システムを用いれば、水栓金具周りで洗髪を行うスペースがない場合でも水栓金具から離れた移動洗髪台で洗髪を行うことができる。
【図面の簡単な説明】
【００２７】
【図１】第１実施形態の洗髪システムの構成図である。
【図２】第１実施形態の給水装置の縦断面図である。
【図３】第１実施形態の給水装置のＩ−Ｉ断面図である
【図４】第１実施形態の給水装置における挿入部を構成するシート体の正面図であり、（ａ）は第１タイプのシート体、（ｂ）は第２タイプのシート体を示す図である。
【図５】第１実施形態の移動洗髪台の斜視図である。
【図６】第２実施形態の洗髪システムの構成図である。
【図７】第２実施形態の給水装置における取付部を示す側面図である。
【図８】第２実施形態の枕具の斜視図である。
【図９】第３実施形態の洗髪システムの構成図である。
【発明を実施するための形態】
【００２８】
以下に、図面を参照して本発明の一実施形態である給水装置を備える洗髪システムについて説明するが、本発明は、これらの実施形態に限定されるわけではない。
【００２９】
＜第１実施形態＞
＜＜システムの概要＞＞
図１は、第１実施形態の洗髪システム１の構成を示した図である。第１実施形態の洗髪システム１は、理容や美容サービスの提供者（以下「提供者」と記載する）が一般の家庭や施設に訪問して、その場で利用者Ａの洗髪を行う訪問型の洗髪サービスに用いられる。この洗髪システム１は、訪問先の混合水栓等の水栓金具Ｋに取り付けられ、洗髪のためのお湯（以下「水」と記載する。）が水栓金具Ｋから供給される。したがって、この洗髪システム１は、提供者によって、訪問先の水栓金具Ｋに都度着脱される。なお、近年、一般の家庭や施設の水栓金具Ｋは、吐水管Ｋ１の先端部付近が大きく屈曲し、屈曲してから先端までの長さが短いタイプ、換言すると吐水管Ｋ１の先端部が薄いタイプがほとんどである。
【００３０】
洗髪システム１は、水栓金具Ｋに取り付けられて給水するための給水装置１０と、給水装置１０と洗髪が行われる場所との間で水の流れを中継する中継装置２０と、洗髪が行われる場所で排水を受ける移動洗髪台３０とを備えている。また、洗髪システム１は、移動洗髪台３０の縁に設置されて、利用者Ａの首を支持する枕具４０を備えている。また、洗髪システム１は、利用者Ａをリクラインニングさせるための椅子５０を備えている。また、洗髪システム１は、中継装置２０を介して給水装置１０と接続されているシャワーヘッドＨを備えている。なお、システム全体における各部の接続関係や配管に関しては、各部を説明した後で詳しく説明する。
【００３１】
＜＜給水装置＞＞
図２は、第１実施形態の給水装置１０の縦断面図である。また、図３は、図２におけるＩ−Ｉ断面の断面図である。以下に図２および図３を参照して給水装置１０を説明する。
【００３２】
給水装置１０は、水栓金具Ｋの吐水管Ｋ１の先端部に取り付けられる。この給水装置１０は、流体を流通可能とする流通路Ｄが形成されており、水栓金具Ｋを挟み込んで水栓金具Ｋに取り付けられる取付部１１と、取付部１１の水栓金具Ｋ側の端部の周囲を囲い、側方に吐水管Ｋ１を通すことが可能な開口である挿入開口１２ｄが形成されたカバー部１２と、挿入開口１２ｄを覆うようにカバー部１２に固定され、シート状で複数の切れ込みが形成された挿入部１３とを備えている。また、この給水装置１０は、カバー部１２に取り付けられて給水装置１０を自立させる伸縮自在の脚部１４を備えている。
【００３３】
取付部１１は、流通路Ｄが形成されている流通体１５と、流通体１５との間隔を変更可能に流通体１５に取り付けられている押さえ体１６と、上方からの操作によって流通体１５と押さえ体１６との間隔を変更させる操作体１７とで構成されている。
【００３４】
流通体１５は、カバー部１２に固定される流通体ベース板１５ａと、流通体ベース板１５ａに固定されている流通体パッキン１５ｂと、流通体パッキン１５ｂに入口側が嵌め込まれている給水管Ｔ１と、給水管Ｔ１の出口側に接続されている給水装置継手Ｆ１とを備えている。流通体ベース板１５ａは、矩形の板状で、後述するカバー部１２の本体１２ａにおける対向する内壁面の間に橋渡しされ、カバー部１２に固定されている。また、この流通体ベース板１５ａの中央には円形の貫通孔が形成されている。流通体パッキン１５ｂは、ゴム製またはエラストマー製で、上端に周方向に張り出すフランジを有する円筒状の部材である。この流通体パッキン１５ｂは、内側に段付きの貫通孔が形成されており、流通体ベース板１５ａに形成された貫通孔に嵌め込まれて固定されている。給水管Ｔ１は、樹脂製または金属製の中空パイプであり、途中で屈曲している。この給水管Ｔ１は、入口側を上方に向け、入口側が流通パッキン１５ｂの段付きの貫通孔に差し込まれて固定されている。また、この給水管Ｔ１は、出口側が水平方向を向き、後述するカバー部１２に取り付けられた給水装置出口パッキン１２ｆの内径部で支持されている。この給水管Ｔ１の出口側の端部は、カバー部１２の外側に突き出している。給水装置継手Ｆ１は、給水管Ｔ１の出口側の端部に固定されており、接続ホースをワンタッチで接続することができる。このように構成された流通体１５は、流通体パッキン１５ｂの貫通孔から給水管Ｔ１を介して給水装置継手Ｆ１まで、流体を流通可能とする流通路Ｄが形成されている。
【００３５】
押さえ体１６は、後述の操作体１７を介して流通体１５の流通体ベース板１５ａに取り付けられている押さえ体ベース板１６ａと、押さえ体ベース板１６ａの下面に固定されている押さえ体クッション１６ｂとを備えている。押さえ体ベース板１６ａは、矩形の板状で、両端部に後述の操作体１７のガイド棒１７ａが通るガイド孔が形成されている。押さえ体クッション１６ｂは、ゴム製またはエラストマー製の円錐台状の部材であり、押さえ体ベース板１６ａの下面に貼り付けられて固定されている。押さえ体クッション１６ｂは、給水装置１０を水栓金具Ｋに取り付けるときに、その下面が水栓金具Ｋに押し付けられる。押さえ体１６の流通体１５への取り付けについては、次の操作体１７についての説明の後に詳述する。
【００３６】
操作体１７は、長尺のボルトであるガイド棒１７ａとガイド棒１７ａとあわさるナットであるつまみネジ１７ｂと圧縮バネであるバネ体１７ｃとを備えている。ガイド棒１７ａは、上部にネジ山が形成されており、下端が流通体１５の流通体ベース板１５ａに固定されている。なお、ガイド棒１７ａは、２本備えられており、流通体ベース板１５ａの両端部に固定されている。つまみネジ１７ｂは、各ガイド棒１７ａと一対で用いられるいわゆる蝶ナットであり、ガイド棒１７ａに形成されているネジ山と螺合している。バネ体１７ｃは、各ガイド棒１７ａにひとつ備えられる圧縮バネで、内径部分にガイド棒１７ａを通して取り付けられている。
【００３７】
ここで、図３を主に参照して押さえ体１６の流通体１５への取り付け状態を説明する。押さえ体１６の押さえ体ベース板１６ａは、形成されているガイド孔にガイド棒１７ａを通し、同じくガイド棒１７ａを通したバネ体１７ｃの上に載せられている。そして、ガイド孔から突き出したガイド棒１７ａにつまみネジ１７ｂが螺合されている。つまり、押さえ体ベース１６ａは、バネ体１７ｃによって、上方のつまみネジ１７ｂに押し付けられている。これによって、押さえ体１６は、つまみネジ１７ｂの位置に従い、流通体１５との間隔を変更できるように取り付けられている。
【００３８】
さらに、給水装置１０の水栓金具Ｋへの取り付けを説明すると、操作体１７におけるつまみネジ１７ｂを締め込み操作すると、流通体１５と押さえ体１６との間隔が縮まっていく。この間隔が所定以下になると、流通体１５の流通路Ｄの入口の周囲が水栓金具Ｋの吐水管Ｋ１の先端（以降「吐水口」と記載する）Ｋ２の周囲に当接し、押さえ体１６の押さえゴム１６ｂが水栓金具Ｋの吐水口Ｋ２と対向する側に押し付けられることになる。これによって、取付部１１は、水栓金具Ｋを挟み込んで水栓金具Ｋに取り付けられ、吐水口Ｋ２から吐出した水が、給水管Ｔ１内を通って給水装置継手Ｆ１まで導かれる。なお、本実施形態の取付部１１の流通路Ｄの入口である流通体パッキン１５ｂに段付きの貫通孔が形成されて、流通体パッキン１５ｂの上面における段付きの貫通孔の周りを吐出口Ｋ２に当接させているが、流通体パッキン１５ｂの貫通孔の形状は、これに限らない。たとえば、貫通孔がすり鉢状に形成され、このすり鉢状の斜面に吐出口Ｋ２の周囲を当接させるように構成された流通体パッキンは、吐出口の外径が異なるさまざまな水栓金具に対応しやすい。
【００３９】
図２を主に参照して説明を続けると、カバー部１２は、下方に位置する本体１２ａと上方に位置する蓋体１２ｂとを備えている。また、カバー部１２は、本体１２ａの底部に固定される排水口１２ｃを備えている。本体１２ａと蓋体１２ｂとは、合わさって内部空間を形成する。
【００４０】
本体１２ａは、樹脂製で、矩形板状の底板と、底板の全周囲から上方に延びる板状の側壁とを有し、全体的には上方が開口する箱形状に形成されている。この上方の開口は、手を出し入れ可能な操作開口１２ｅとなっている。また、本体１２ａの一の側壁には、水栓金具Ｋの吐水管Ｋ１を通すことが可能な開口である挿入開口１２ｄが形成されている。また、本体１２ａの挿入開口１２ｄが形成された側壁と対向する側壁には、取付部１１の給水管Ｔ１を通す開口が形成されている。また、本体１２ａの内側の底面は、すり鉢状になっており、その下端に排水口１２ｃをはめ込む貫通孔が形成されている。なお、給水管Ｔ１を通す開口には、両端に周方向に張り出すフランジを有するゴム製で円筒状の給水装置出口パッキン１２ｆがはめ込まれている。給水装置出口パッキン１２ｆは、その内径部で給水管Ｔ１を支持している。
【００４１】
蓋体１２ｂは、樹脂製で、上方から見て本体１２ａと同じ大きさの板状の天板と、天板の全周囲から板状で下方に延びる低い壁とを有し、全体的には下方が開口する箱形状に形成されている。この蓋体１２ｂは、本体１２ａの上に載ると、本体１２ａの操作開口１２ｅを塞ぐ。これによりカバー部１２には、本体１２ａと蓋体１２ｂとに囲まれた内部空間が形成される。カバー部１２は、この状態から蓋体１２ｂを本体１２ａに対して移動させる（取り外す）ことにより、操作開口１２ｅが露出する。なお、本実施形態においては、蓋体１２ｂは、本体１２ａと完全に分離できる状態まで移動できるように構成されているが、操作開口１２ｅが露出するように移動できるように構成すればよい。たとえば、蓋体１２ｂは、ヒンジを介して本体１２ａに取り付けて、本体１２ａに対して回転移動させるように構成してもよい。また、蓋体１２ｂは、レール等により本体１２ａに対してスライド移動させるように構成してもよい。
【００４２】
排水口１２ｃは、円筒状のパイプであり、本体１２ａの底板に形成された貫通孔にはめ込まれ、カバー部１２の内側と外側とを繋いでいる。
【００４３】
図４は、第１実施形態の給水装置１０における挿入部１３を構成するシート体の正面図であり、（ａ）は第１タイプのシート体１３Ａ、（ｂ）は第２タイプのシート体１３Ｂを示す図である。挿入部１３にはどちらのシート体を採用してもよい。
【００４４】
第１タイプのシート体１３Ａは、ゴム製またはエラストマー製で円形のシート状で、カバー部１２の挿入開口１２ｄよりも一回り大きく形成されている。また、第１タイプのシート体１３Ａは、最外周縁の一回り内側に円筒状でシート面に対して垂直に突き出す嵌合壁１３ａが形成されている。この嵌合壁１３ａは、カバー部１２の挿入開口１２ｄにガタなく嵌合する外径サイズで形成されている。本実施形態の挿入部１３は、第１タイプシート体１３Ａを２つ使い、カバー部１２の挿入開口１２ｄの両側から嵌合壁１３ａを嵌合させて互いに重なり合った形で取り付けられている。また、第１タイプのシート体１３Ａは、中心から放射状に複数の切れ込みＮａが形成されている。これにより、第１タイプのシート体１３Ａは、中央部を押すと切れ込みＮａに挟まれたシート部分がそれぞれ外周側を支点に簡単に撓む。たとえば、水栓金具Ｋの吐水管Ｋ１で中央部を押せば、切れ込みＮａに挟まれたシート部分がそれぞれ簡単に撓み、吐水管Ｋ１の先端部は簡単にシート部分を貫通する。
【００４５】
第２タイプのシート体１３Ｂは、第１タイプのシート体１３Ａと内側の切れ込みＮｂが異なるが、他は同様であるため、切れ込みＮｂについてのみ説明し、他の説明を省略する。第２タイプのシート体１３Ｂの切れ込みＮｂは、中心を通り、図面上では水平方向に延びる１本の横切れ込みと、横切れ込みに垂直な方向（図面では垂直方向）に延びる複数の縦切れ込みとなっている。これにより、各切れ込みに挟まれシート部分が短冊状になり、それぞれが外周側を支点に簡単に撓む。第２タイプのシート体１３Ｂも、水栓金具Ｋの吐水管Ｋ１で中央部を押せば、切れ込みＮｂに挟まれたシート部分がそれぞれ簡単に撓み、吐水管Ｋ１の先端部は簡単にシート部分を貫通する。
【００４６】
再び図２を参照して、脚部１４は、図２では２本だけ描かれているが、給水装置１０が自立可能なように、カバー部１２の側壁下方の四角付近に４本取り付けられている。各脚部１４は、金属製で外径サイズの異なる複数の円筒状のパイプを外径サイズの順に内径と外径とを嵌合させて構成されている。また、最も外径サイズの小さいパイプの先端には、ゴム製のクッションが取り付けられている。これにより、脚部１４は、それぞれのパイプを完全に重ね合わせた状態にしたときには全長が短くなって収納されると共に、重ね合わせの量（嵌合させる長さ）を変更することで、全長が伸縮自在となっている。
【００４７】
＜＜中継装置＞＞
次にふたたび図１を参照して中継装置２０を説明する。中継装置２０は、給水装置１０とシャワーヘッドＨとの間、および給水装置１０と移動洗髪台３０との間に配置されている。中継装置２０は、内部空間が形成された箱状の中継ボックス２１を備えている。また、中継装置２０は、中継ボックス２１の外壁面に固定されており、接続ホースをワンタッチで接続することができる第１〜第４中継装置継手Ｆ２〜Ｆ５を備えている。また、中継装置２０は、中継ボックス２１の内部空間に配置され、水を吸引する吸引ポンプＰを備えている。また、中継装置２０は、中継ボックス２１の内部空間に配置され、一方からの水流を二方に分岐させる第１〜第２分岐継手Ｂ１、Ｂ２とレバーを操作することで水流を止めることが可能な第１〜第２開閉弁Ｖ１、Ｖ３と、を備えている。
【００４８】
中継装置継手、吸引ポンプ、分岐継手、および開閉弁は、接続ホースによって接続されており水流の量や方向をコントロールしている。そして、中継装置２０は、給水装置１０からシャワーヘッドＨへの水の供給を中継している。また、中継装置２０は、給水装置１０および移動洗髪台３０からの排水をサポートする排水装置としても機能している。詳細は、システム全体の配管の説明と併せて後述する。
【００４９】
＜＜移動洗髪台＞＞
図５は、第１実施形態の移動洗髪台３０の斜視図である。移動洗髪台３０は、樹脂製で矩形板状の底板と、この底板の全周囲から上方に延びる板状の側壁とを有し、全体的には上方が開口する箱形状に形成されている桶部３１を備えている。桶部３１は、この上方で行われる洗髪の際の排水を受ける。桶部３１は、一の側壁における上方の縁部の中央に、曲線状に凹む枕設置部３２が形成されている。この枕設置部３２には、桶部３１の上方に利用者の頭部を固定するために、後述する枕具４０が設置される。
【００５０】
また、移動洗髪台３０は、桶部３１の外壁面に固定されており、接続ホースをワンタッチで接続することができる移動洗髪台継手Ｆ６を備えている。この移動洗髪台継手Ｆ６は、桶部３１の内部の底側に備えられて排水を吸い込む吸込口３３に、中空パイプである吸引管Ｔ２によって接続されている。移動洗髪台３０は、桶部３１の底側に溜まった排水を吸込口３３から吸引して排出する。
【００５１】
また、移動洗髪台３０は、桶部３１に取り付けられて移動洗髪台３０を自立させる伸縮自在の高さ調整脚３４を備えている。高さ調整脚３４は、桶部３１の側壁下方の四角付近に４本取り付けられている。各高さ調整脚３４は、金属製で外径サイズの異なる複数の円筒状のパイプを外径サイズの順に内径と外径とを嵌合して構成されている。また、最も外径サイズの小さいパイプの先端には、ゴム製のクッションが取り付けられている。これにより、高さ調整脚３４は、それぞれのパイプを完全に重ね合わせた状態にしたときは、全長が短くなって収納されると共に、重ね合わせの量（嵌合させる長さ）を変更することで、移動洗髪台３０の設置高さが変更可能になっている。
【００５２】
＜＜枕具＞＞
枕具４０は、クッション素材によって、ある程度厚みを持たせて形成されている枕４１を備えている。枕４１は、正面から見て上方の縁部が曲線状凹んでおり、この凹んだ部分で首を支持する。また、枕４１は、厚み方向の中央に幅方向に延びるスリットが形成されている。枕具４０（枕４１）は、このスリットを移動洗髪台３０の枕設置部３２にはめ込んで移動洗髪台３０に設置される。
【００５３】
＜＜椅子＞＞
本実施形態の洗髪システム１ではリクラインニングが可能な椅子５０が備えられており、椅子５０をリクライニングすることで、利用者Ａの頭部を移動洗髪台３０の上方に位置させる。
【００５４】
＜＜配管＞＞
次にふたたび図１を参照して、本実施形態における洗髪システム１の配管について説明する。洗髪システム１は、給水装置１０の給水装置継手Ｆ１と中継装置２０の第１中継装置継手Ｆ２との間が第１接続ホースＬ１で接続されている。また、中継装置２０内において、第１中継装置継手Ｆ２と第１分岐継手Ｂ１との間、第１分岐継手Ｂ１と第２中継装置継手Ｆ３との間、第１分岐継手Ｂ１と第１開閉弁Ｖ１との間、第１開閉弁Ｖ１と第２分岐継手Ｂ２との間、第２分岐継手Ｂ２と第３中継装置継手Ｆ４との間、第２分岐継手Ｂ２と第２開閉弁Ｖ２との間、第２開閉弁Ｖ２と吸引ポンプＰとの間、吸引ポンプＰと第４継手Ｆ５との間、が、それぞれ順に第２〜第９接続ホースＬ２〜Ｌ９で接続されている。また、中継装置２０の第２中継装置継手Ｆ３とレバーを操作することで水流を止めることが可能な第３開閉弁Ｖ３との間、第３開閉弁Ｖ３とシャワーヘッドＨとの間が、それぞれ第１０接続ホースＬ１０、第１１接続ホースＬ１１で接続されている。また、中継装置２０の第４中継装置継手Ｆ５と移動洗髪台３０の移動洗髪台継手Ｆ６との間が、第１２接続ホースＬ１２で接続されている。また、中継装置２０の第３中継装置継手Ｆ４には第１３接続ホースの一端が接続されて、第１３接続ホースＬ１３の他端は、シンクＳ内に配置されている。
【００５５】
このように配管された洗髪システム１は、給水装置１０とシャワーヘッドＨとの間に、第１接続ホースＬ１、第２接続ホースＬ２、第３接続ホースＬ３、第１０接続ホースＬ１０、および第１１接続ホースＬ１１を経由する給水ラインが形成されている。また、洗髪システム１は、吸込口３３と中継装置２０のポンプＰとの間に、第１２接続ホースＬ１２および第９接続ホースＬ９を経由する吸引ラインが形成されている。また、洗髪システム１は、給水装置ラインから第４接続ホースＬ４、第５接続ホースＬ５、第６接続ホースＬ６、および第１３接続ホースＬ１３を経由する第１排水ラインが形成されている。また、洗髪システム１は、吸引ラインから第８接続ホースＬ８、第７接続ホースＬ７、第６接続ホースＬ６、および第１３接続ホースＬ１３を経由する第２排水ラインが形成されている。洗髪システム１では、第１〜第３開閉弁Ｖ１〜Ｖ３を操作することで、第１排水ラインまたは第２排水ラインのいずれかを選択的に有効にしてシンクＳへの排水を行う。
【００５６】
なお、本実施形態の洗髪システム１では、中継装置２０において、レバーを操作することで水流を止める開閉弁や流れを２方向に分岐させる分岐継手を用いているが、給水装置１０からシャワーヘッドＨに水を導けて、移動洗髪台３０からシンクＳ等へ排水できるように水の流れをコントロールできれば、これに限定されない。たとえば、逆流を防止することができるチェック弁や、レバーを操作することで流れ方向を切り換えられることができる三方弁等を用いてもよい。
【００５７】
また、本実施形態の洗髪システム１では、中継装置２０が給水装置１０とシャワーヘッドＨとを接続する給水ラインの一部と、吸込口３３と吸引ポンプＰとを接続する吸引ラインの一部と、給水装置１０および吸引ポンプＰに接続されて選択的に排水するための排水ラインの一部とを含み構成されている。給水ラインの一部、吸引ラインの一部、および排水ラインの一部を中継装置２０装置としてまとまった形で構成しなくてもよいが、このように中継装置２０として構成することで、洗髪システムの設置や撤収の作業が楽になる。
【００５８】
＜＜使用方法＞＞
以下に、このように構成された洗髪システム１を使用して、提供者が台所の水栓金具Ｋから給水して利用者Ａを洗髪する方法を説明する。
【００５９】
提供者は、まず水栓金具Ｋに給水装置１０を取り付ける。提供者は、給水装置１０の挿入部１３から水栓金具Ｋの吐水管Ｋ１を差し込み、給水装置１０の操作体１７つまみネジ１７ｂを締め込み、吐水管Ｋ１の先端部を流通体１５と押さえ体１６とで挟み込んで取り付ける。この際に提供者は、水栓金具Ｋと給水装置１０との接触部分から完全に水が漏れないようにすることについては、過剰に気にする必要がない。そして、提供者は、給水装置１０の脚部１４の長さを変更させて、給水装置１０をシンク内に安定させる。その他、洗髪を実施する位置に移動洗髪台３０や椅子５０を設置する。そして、中継装置２０を介して給水装置１０、シャワーヘッドＨ、および移動洗髪台３０を接続ホース等により接続して洗髪サービスを提供できる状態に準備する。
【００６０】
次に提供者は、利用者Ａを椅子５０に座らせてから椅子５０をリクライニングさせる。移動洗髪台３０は、枕具４０により利用者Ａの頭部が安定するような位置、高さに調整する。
【００６１】
次に提供者は、第１開閉弁Ｖ１を閉じ、第２開閉弁Ｖ２および第３開閉弁Ｖ３を開いた状態で、水栓金具Ｋを開くことでシャワーヘッドＨから水を出して利用者Ａの洗髪を行う。洗髪に用いられて移動洗髪台３０に溜まった排水は、吸引ラインおよび第２排水ラインを経由してシンクＳまで導かれて排水される。
【００６２】
途中シャワーヘッドＨから出る水を停止させてシャンプー等を行いたい場合には、提供者は、第１開閉弁Ｖ１を開き、第２開閉弁Ｖ２および第３開閉弁Ｖ３を閉じればよい。このように切り替えることで水栓金具Ｋから出続ける水は、第１排水ラインを経由してシンクＳまで導かれて排水される。
【００６３】
洗髪が終了した後の撤収作業では、提供者は、準備とは逆に、中継装置２０を介して接続ホース等にて接続されている給水装置１０、シャワーヘッドＨ、および移動洗髪台３０を切り離し、給水装置１０を水栓金具Ｋから外す。
【００６４】
＜＜作用・効果＞＞
上述のように構成された給水装置１０は、吐水管Ｋ１と流通路Ｄとが繋がるように吐水管Ｋ１の先端部を挟み込んで水栓金具Ｋに取り付けられる取付部１１を備えている。これにより、給水装置１０は、近年のほとんどを占める吐水管の先端部が薄いタイプの水栓金具に容易に取り付けることができる。
【００６５】
また、給水装置１０は、取付部１１の水栓金具Ｋ側の端部の周囲を囲い、吐水管Ｋ２を通すことが可能な開口である挿入開口１２ｄが形成されたカバー部１２と挿入開口１２ｄを覆うようにカバー部１２に固定され、吐水管Ｋ１が挿入される挿入部１３を備えている。これにより、給水装置１０は、挿入部１３から吐水管Ｋ１を挿入して、吐水管Ｋ１の先端部に接触させる取付部１１の端部の周りをカバー部１２が覆うように水栓金具に取り付けられる。このため、給水装置１０は、吐水管Ｋ１と取付部１１との接触部分から水漏れがあってもカバー部１２によって周囲への水の飛び散りが防止される。
【００６６】
したがって、給水装置１０は、吐水管の先端部が薄い水栓金具への取り付け対応が容易であるのと共に水栓金具の周囲を水浸しにしてしまう恐れが少ない可搬型の給水装置に構成されている。
【００６７】
また、給水装置１０は、挿入部１３が切れ込みＮａの形成されたシート体１３Ａで構成されている。これにより、この給水装置は、切れ込みＮａに挟まれた部分が撓み吐水管Ｋ１を挿入できると共に、水栓金具Ｋと取付部１１との接触部分から水漏れがあっても、切れ込みＮａに挟まれた部分で挿入開口１２ｄの隙間からの周囲への水の飛び散りを防止することができる。
【００６８】
また、給水装置１０は、挿入部１３が複数のシート体１３Ａを重ならせて構成されている。これにより、給水装置１０は、挿入開口１２ｄの隙間からの周囲への水の飛び散りをさらに防止することができる。
【００６９】
また、給水装置１０は、カバー部１２の底側に排水口１２ｃが形成されている。これにより、給水装置１０は、水栓金具Ｋと取付部１１との接触部分から漏れがあっても排水口１２ｃから排水して、カバー部１２内に水が溜まってしまうことを防止することができる。
【００７０】
また、給水装置１０は、カバー部１２に取り付けられて。給水装置１０を自立させる伸縮自在の脚部１４を備えている。これにより、給水装置１０は、水栓金具Ｋに取付部１１が取り付けられると共に、脚部１４の長さが調節されて脚部１４の先端をシンクＳに接触させて設置される。したがって、給水装置１０の重さが水栓金具Ｋに対して過剰に加わることを防止することができる。
【００７１】
また、給水装置１０は、取付部１１が、流通路Ｄが形成されている流通体１５と、流通体１５との間隔を変更可能に流通体１５に取り付けられている押さえ体１６と、上方からの操作によって流通体１５と押さえ体１６との間隔を変更させる操作体１７とで構成されている。そして、給水装置１０は、操作体１７を操作することで流通路Ｄの入口の周囲を水栓金具Ｋの吐水管Ｋ１の先端部の周囲に当接させると共に、押さえ体１６を吐水管Ｋ１の先端部と対向する側から押し付けて水栓金具Ｋに取り付けられる。このように、給水装置１０は、上方からの操作によって水栓金具Ｋに着脱可能に構成されている。また、給水装置１０は、カバー部１２が手を出し入れ可能な操作開口１２ｅが上方に形成された本体１２ａと、操作開口１２ｅが露出するように本体１２ａに対して移動可能な蓋体１２ｂとを有している。このため、給水装置１０は、蓋体１２ｂを移動させることで、上方の操作開口１２ｅから手を入れて操作体１７の操作がしやすいように構成されている。したがって、給水装置１０は、水栓金具Ｋに対して容易に着脱することができる。
【００７２】
また、上述のように構成された洗髪システム１は、給水装置１０を備えている。つまり、吐水管の先端部が薄い水栓金具への取り付け対応が容易であるのと共に水栓金具の周囲を水浸しにしてしまう恐れが少ない可搬型の給水装置１０を備えている。
【００７３】
したがって、近年主流となっている吐水管の先端部が薄い水栓金具への取り付け対応と同時に水栓金具の周囲に水を飛び散らせないことが求められる訪問型の洗髪サービスで用いるのに適した可搬型の洗髪システム１を提供できる。
【００７４】
また、洗髪システム１は、給水装置１０の流通路Ｄに接続ホースを介して接続されるシャワーヘッドＨを備えている。これにより、洗髪システム１を用いれば、広くやわらかな水流でまんべんなく洗髪を行うことができる。
【００７５】
また、洗髪システム１は、給水装置１０とシャワーヘッドＨとを接続する給水ラインの一部を含む中継装置２０と、上方が開口する移動洗髪台３０とを備えている。そして、中継装置２０は、給水装置１０から流れてきた水を排水するための排水ラインの一部を有している。これにより、この洗髪システム１は、シャワーヘッドＨ近くで水を止めた場合に給水ラインの水が排水ラインを経由して排水されるため、水圧が異常に高くならない。したがって、洗髪システム１を用いれば、シャワーヘッドＨ近くで水を止めた場合に接続箇所が外れる恐れが少なく、いちいち水栓金具Ｋの水を止めなくてよいため、手際よく洗髪を行うことができる。
【００７６】
また、洗髪システム１は、移動洗髪台３０が底側に溜まった水を吸い込む吸込口３３を有しており、中継装置２０が吸引ライン等を介して吸込口３３に接続される吸引ポンプＰを有している。さらに、中継装置２０が吸引ポンプＰに接続される排水ラインの一部を含み構成されている。これにより、洗髪システム１では、移動洗髪台３０に溜まった排水は、吸込口３３から吸引ポンプＰで吸引され、排水ラインを介して離れたシンクＳ等に導かれる。したがって、洗髪システム１を用いれば、水栓金具Ｋ周りで洗髪を行うスペースがない場合でも水栓金具Ｋから離れた移動洗髪台３０で洗髪を行うことができる。
【００７７】
＜第２実施形態＞
図６は、第２実施形態の洗髪システム１００の構成図である。洗髪システム１００は、シンクＳの上方で洗髪を行うことを想定した洗髪システムである。このため、洗髪システム１００は、第１実施形態の洗髪システム１に対して中継装置２０および移動洗髪台３０が備えられていない点が異なる。また、第２実施形態の給水装置１１０は、第１実施形態の給水装置１０の取付部１１に対して取付部１１１の構成が異なる。また、第１実施形態の枕具４０が移動洗髪台３０に取り付けられていたのに対し、第２実施形態の枕具１４０は、独立して自立している点が異なる。その他の点は、第１実施形態の洗髪システム１と同じであるため、以下においては、給水装置１１０の取付部１１１および枕具１４０について主に説明し、同様の部分については同一の記号を付して説明を省略する。
【００７８】
洗髪システム１００は、水栓金具Ｋに取り付けられると共にシンクＳ内に設置される供給装置１１０を備えている。また、洗髪システム１００は、シンクＳのそばに設置される椅子５０と、シンクＳと椅子５０との間に設置される枕具１４０とを備えている。
【００７９】
椅子５０に座ってリクライニングされた利用者Ａは、枕具１４０で首を支持され、頭部をシンクＳの上方に位置させて洗髪される。洗髪システム１００では、洗髪後の排水をシンクＳで直接受けるようにしている。
【００８０】
供給装置１００は、水栓金具Ｋを挟み込んで水栓金具Ｋに取り付けられる取付部１１１と、取付部１１１の水栓金具Ｋ側の端部の周囲を囲い、側方に挿入開口が形成されたカバー部１２と、挿入開口を覆うようにカバー部１２に固定された挿入部１３とを備えている。また、この給水装置１００は、カバー部１２に取り付けられて給水装置１００を自立させる伸縮自在の脚部１４を備えている。給水装置１００は、取付部１１１以外については第１実施形態と同じである。
【００８１】
図７は、第２実施形態の給水装置１００における取付部１１１を示す側面図である。取付部１１１は、流通路Ｄが形成されている流通体１５と、流通体１５と対向して配置されている押さえ体１６と、流通体１５に対して押さえ体１６を回転移動させる操作体１１７とを備えている。給水装置１００における取付部１１１は、操作体１１７以外については第１実施形態と同様である。操作体１１７は、一端側が流通体１５の流通体ベース板１５ａに固定されている流通体レバー１１７ａと、一端側が押さえ体１６の押さえ体ベース板１６ａに固定されている押さえ体レバー１１７ｂとを備えている。流通体レバー１１７ａと押さえ体レバー１１７ｂとは、それぞれの中央部が支持軸１１７ｃによって交差し、相手に対して回転自在に連結されている。また、操作体１１７は、流通体レバー１１７ａと押さえ体レバー１１７ｂとの間に、バネ体１１７ｄを備えている。バネ体１１７ｄは、両端部がそれぞれのレバーに当てつけられて配置されており、流通体パッキン１５ｂと押さえ体クッション１６ｂとの距離が縮まる方向に、両レバーを付勢する。このように構成された取付部１１１は、バネ体１１７ｄによって、流通体１５および押さえ体１６の距離が縮まる方向に常に力が加わっており、間に水栓金具Ｋを挟み込んで固定される。取付部１１１を水栓金具Ｋから外したい場合は、流通体レバー１１７ａおよび押さえ体レバー１１７ｂを操作して、流通体パッキン１５ｂと押さえ体クッション１６ｂとの距離を広げればよい。このように、給水装置１００は、水栓金具Ｋに対して、簡単に着脱可能に構成されている。
【００８２】
図８は、第２実施形態の枕具１４０の斜視図である。枕具１４０は、第１実施形態と同様の枕４１を備えている。また、枕具１４０は、枕４１の高さを調整可能とする高さ調整部４２を備えている。
【００８３】
高さ調整部４２は、枕４１が設置され上下方向に移動可能な昇降板部４３と、昇降板部４３を支持する昇降板支持部４４とを備えている。
【００８４】
昇降板部４３は、ヒンジ状に所定の回転軸を基準に回転可能に結合した、上方に位置する第１取り付け板４３ａと下方に位置する第２取り付け板４３ｃとを備える。第１取り付け板４３ａは、矩形板状であって、上方の縁部の中央が曲線状に凹んでおり、この上方の縁部に枕４１が形成されているスリットをはめ込ませて設置される。また、第１取り付け板４３ａは、下方の縁部の中央に矩形状に凹んだ凹部が形成されている。
【００８５】
第２取り付け板４３ｂは、矩形板状であって、上方の縁部の中央に矩形状に突出した凸部が形成されている。第１取り付け板４３ａと第２取り付け板４３ｂとは、第１取り付け板４３ａの凹部と第２取り付け板４３ｂの凸部とがはめ合わされ、はめ合された部分に回転軸が通されることで、お互いがヒンジ状に結合されている。また、この通された回転軸の端部にはネジ山が形成されており、このネジ山には角度固定つまみ４３ｃが螺合している。この角度固定つまみ４３ｃを締め付けると第１取り付け板４３ａの一部が第２取り付け板４３ｂと角度固定つまみ４３ｃとに挟み込まれ、第１取り付け板４３ａは、第２取り付け板４３ｂに対して所定の角度で固定される。
【００８６】
昇降支持部４４は、設置面上に広がる矩形板状の底板部４４ａと、底板部４４ａの中央から上方に延びる矩形板状の昇降支持板４４ｂとで構成されている。昇降支持板４４ｂは、昇降板部４３よりも厚みが厚く、幅も広く形成されている。また、昇降支持板４４ｂは、上面の内側に、下方に向けて深く凹む支持溝４４ｃが形成されている。昇降板部４３は、第２昇降板４３ｂが昇降支持部４４の支持溝４４ｃに差し込まれて支持されている。なお、昇降板部４３は、昇降支持部４４への差し込み量が調整され、固定ネジ（不図示）等によって昇降支持部４４に対して所定の高さ位置で固定される。
【００８７】
このように構成された洗髪システム１００は、全長が伸縮自在の高さ調整部４３を含み自立可能な枕具１４０を備えている。これにより、洗髪システム１００を用いれば、シンクや洗髪台に首を受ける部分を設置できない場合でも、利用者Ａの頭部をしっかり固定した状態で洗髪を行うことができる。
【００８８】
＜第３実施形態＞
図９は、第３実施形態の洗髪システム２００の構成図である。洗髪システム２００は、シンクＳの近くであるが、シンクＳからわずかに離れた所で洗髪を行うことを想定した洗髪システムである。このため、洗髪システム２００は、第１実施形態の洗髪システム１に対して中継装置２０が備えられていない点が異なる。また、第１実施形態の移動洗髪台３０がシンクＳから離れた所で洗髪を行うことを考慮していた形状であったのに対し、第３実施形態の移動洗髪台１３０は、シンクＳからわずかに離れた所で洗髪を行いやすい形状となっている点が異なる。また、第１実施形態の枕具４０が移動洗髪台３０に取り付けられていたのに対し、第３実施形態の枕具２４０は、椅子５０に取り付けられている点が異なる。その他の点は、第１実施形態の洗髪システム１と同じであるため、以下においては、移動洗髪台１３０および枕具２４０について主に説明し、同様の部分については同一の記号を付して説明を省略する。
【００８９】
洗髪システム２００は、水栓金具Ｋに取り付けられると共にシンクＳ内に設置される供給装置１０を備えている。また、洗髪システム２００は、シンクＳのそばに設置される椅子５０と、椅子５０に取り付けられる枕具２４０とを備えている。また、洗髪システム２００は、シンクＳと椅子５０との間に設置される移動洗髪台１３０を備えている。
【００９０】
椅子５０に座ってリクライニングされた利用者Ａは、枕具２４０で首を支持され、頭部をシンクＳの縁に接続される移動洗髪台１３０の上方に位置させて洗髪される。洗髪システム２００では、洗髪後の排水を移動洗髪台１３０で受けてからシンクＳに流すようにしている。
【００９１】
移動洗髪台１３０は、上方に取り付けられて排水を受ける桶部１３１と桶部１３１を高さ変更可能に支持する高さ調整脚１３４とを備えている。
【００９２】
桶部１３１は、矩形板状の底板１３１ａと底板１３１ａの一の稜線部を除く稜線部から上方に板状で延びる壁板１３１ｂと壁板１３１ｂが形成されていない一の稜線部から下方に板状で延びる引っ掛け板１３１ｃとで構成されている。底板１３１ａは、引っ掛け板１３１ｃ側が低くなるように傾斜して形成されている。移動洗髪台１３０は、引っ掛け板１３１ｃをシンクＳの縁に引っ掛けて設置される。これにより、移動洗髪台１３０は、桶部１３１が受けた排水が底板１３１ａを引っ掛け板１３１ｃ側に向かって流れることで、シンクＳに排水している。
【００９３】
高さ調整脚１３４は、桶部１３１の中央の底面から下方に延びる円柱状の第１調整脚１３４ａと、円筒形状でその内径部に第１調整脚１３４ａを差し込んで支持する第２調整脚１３４ｂと、第２調整脚１３４ｂの下端に固定されて円盤状に広がる第３調整脚１３４ｃとを備えている。高さ調整脚１３４では、第１調整脚１３４ａが第２調整脚１３４ｂに対して上下方向に移動可能にはめ合されている。第１調整脚１３４ａは、所望の高さで第２調整脚１３４ｂの側面に螺合された高さ固定つまみ１３４ｃを締め込むことで第２調整脚１３４ｂに固定される。移動洗髪台１３０は、円盤状に広がる第３調整脚１３４ｂによって、倒れずに自立する。
【００９４】
枕具２４０は、第２実施形態の枕具１４０の枕４１と、昇降板部４３とで構成されている。
【００９５】
椅子５０は、背もたれの背面に取り付けられて、枕具２４０の昇降板部４３の第２昇降板４３ｂを差し込む溝を形成する差し込み部５１を備えている。洗髪する際には、枕具２４０は、利用者Ａの首を枕４１で適切に支持できるよう、第２昇降板４３ｂに対する第１昇降板４３ａの角度が調整されて、第２昇降板４３ｂが椅子５０差し込まれて固定される。
【００９６】
このように構成された洗髪システム２００は、引っ掛け板１３１ｃをシンクＳの縁に引っ掛けて設置される移動洗髪台１３０を備えている。これにより、洗髪システム２００は、シンクＳが狭い場合でも、移動洗髪の際のシンクＳ周りへの排水の飛び散りを抑えることができる。
【００９７】
また、洗髪システム２００は、利用者Ａが座る椅子５０に取り付けられて利用者Ａの首を支持する枕具２４０を備えている。これにより洗髪システム２００を用いれば、シンクや洗髪台に首を受ける部分を設置できない場合でも、利用者Ａの頭部をしっかり固定した状態で洗髪を行うことができる。
【００９８】
なお、本実施形態の洗髪システム２００は、移動洗髪台１３０が、桶部１３１と桶部１３１を支持する高さ調整脚１３４とで構成されていたが、これに限らない。桶部１３１が安定されればよい。たとえば、桶部１３１の底面にシンクＳを挟み込むクランプ機構を設けて、クランプ機構でシンクＳの縁を挟み込んで桶部１３１を固定してもよい。この場合は、高さ調整脚１３４の代わりにクランプ機構を設けても良いし、高さ調整脚１３４と共にクランプ機構を設けて、さらに安定できるようにしても良い。
【符号の説明】
【００９９】
１、１００、２００‥洗髪システム
１０‥給水装置
１１、１１１‥取付部
１２‥カバー部
１２ａ‥本体、１２ｂ‥蓋体、１２ｃ‥排水口、１２ｄ‥挿入開口、１２ｅ‥操作開口
１３‥挿入部
１３Ａ‥第１タイプのシート体、１３Ｂ‥第２タイプのシート体
１４‥脚部
１５、１１５‥流通体
１６、１１６‥押さえ体
１７、１１７‥操作体
２０‥中継装置
３０、１３０‥移動洗髪台
３３‥吸込口
４０、１４０、２４０‥枕具
４２‥高さ調整部
５０‥椅子
Ｄ‥流通路
Ｈ‥シャワーヘッド
Ｋ‥水栓金具
Ｋ１‥吐水管
Ｌ１〜Ｌ１３‥第１〜第１３接続ホース
Ｎａ、Ｎｂ‥切れ込み
Ｐ‥吸引ポンプ
【図１】
2017169833.tif 000003
【図２】
2017169833.tif 000004
【図３】
2017169833.tif 000005
【図４】
2017169833.tif 000006
【図５】
2017169833.tif 000007
【図６】
2017169833.tif 000008
【図７】
2017169833.tif 000009
【図８】
2017169833.tif 000010
【図９】
2017169833.tif 000011